Podtech/llm-jp-corpus-v4-ja_patent huggingface dataset:
(57)【要約】      （修正有）【課題】ヘッドホンが用いられるステレオ機器において、耳に入る音波位相が逆であるために正しい音像定位が得られないことを解決する。【解決手段】ステレオ再生回路１のＲ−ｃｈ出力回路と、位相反転回路（１）の出力回路は、スイッチＳ１の二つの端子に接続されていて、コモン端子に、そのどちらかの信号がスイッチＳ１の選択によって現れる。ステレオ再生回路１のＬ−ｃｈ出力回路と位相反転回路（２）の出力回路は、スイッチＳ２の二つの端子に接続されていて、コモン端子に、そのどちらかの信号がスイッチＳ２の選択によって現れる。また、スイッチＳ１とスイッチＳ２は連動で動作する。【選択図】図１
2020096332.tif 000002
【特許請求の範囲】
【請求項１】
出力される音信号の位相を切替え反転出来る機能を持ったステレオ機器
【発明の詳細な説明】
【技術分野】
【０００１】この発明は音声信号の位相を切り替え反転できるヘッドホン又はイヤホンを用いるステレオ機器に関する。
【背景技術】
【０００２】ヘッドホン又はイヤホンを用いるステレオ機器において音波の位相は音像定位に大きく影響する。しかし、収音時のマイクロホン極性或いは再生時のヘッドホン極性はモデルの違いで異なることがあり、再生時に正しい音像定位が得られない場合があった。しかし、従来ステレオ機器はこれを正す機能を持っていなかった。理由は従来ステレオが据え置きスピーカーによる再生を前提としていたため問題にならなかったからと考えられる。【０００３】この発明は、特許第６１５１６１３号の開発の中で生まれた。そして、次のようなことも発見された。本発明と関係があるので記しておく。【０００４】目の前を右から左へ向かって走る車の音を、ヘッドホンの左右が反対にされたバイノーラルステレオ集音器で聞くと車の音像が二つ聞こえる。一つは右から左に移動する音と、もう一つは左から右へ移動する音。しかし、目を閉じると左から右に移動する音だけが聞こえる。これは音源の把握が聴覚と視覚の二つで行われているからと考えられる。【０００５】また、音だけでは正しい音源場所の特定は出来ない。つまり、聴覚と視覚の両方の機能が働かなければ正確な音源場所の把握は出来ない。しかし、正しい音源場所が把握されるとその後は視覚情報なしでも継続的に音源場所の把握が可能である、例えその音源が少しくらい移動いたとしても。【０００６】例えば、喫茶店等でバイノーラル集音しながら周囲の人声をヘッドホンで聞くと、最初は会話がどこから聞こえてくるか分からない。しかし、視覚と聴覚によってその場所が確認されると、その後は聴覚だけで継続的に会話の場所が分かる。【０００７】つまり通常の生活環境では、視覚と聴覚の共同作業による音場把握は間欠的に行われ、その間の期間は聴覚が音波の位相と音量の相対的変化を捕らえて、音源の場所を把握していると考えられる。この相対変化の検出には耳殻による位相への影響もあると考えられるが、この影響は大きなものではない。このことは仮想現実音を創り出すために役立つ筈である。【０００８】尚、ヘッドホンステレオでは、再生音が頭の中で聞こえる現象が問題にされることがあるが、原因は、本来左右の耳に逆位相で加わるべき音波が同位相で加わるからと考えられる。
【発明の概要】
【発明が解決しようとする課題】
【０００９】ヘッドホンが用いられるステレオ機器において、耳に入る音波位相が逆であるために正しい音像定位が得られないことがある。
【課題を解決するための手段】
【００１０】耳に入る音波位相が間違って反対の場合に、収音回路又は再生回路で信号の位相を反転できる機能をステレオ機器に設ける。
【発明の効果】
【００１１】位相が原因で音の定位が異常の場合、位相を反転させて快適な再生音を聴くことが出来る。
【図面の簡単な説明】
【００１２】
【図１】出力信号位相を切り替える機構を設けたステレオ再生機の構成例図。
【発明を実施するための形態】
【００１３】「図１」はステレオ再生機に出力信号の位相を切り替える機構を設けたステレオ再生機の構成例である。図中のステレオ再生回路（１）は通常のステレオ機器のものと同等である。ステレオ再生回路（１）のＲ−ｃｈ出力回路とＬ−ｃｈ出力回路にはそれぞれ位相反転回路（１）と位相反転回路（２）が接続されている。位相反転回路（１）と位相反転回路（２）は入力信号位相が反転された信号をそれぞれ出力する。
【００１４】ステレオ再生回路（１）のＲ−ｃｈ出力回路と位相反転回路（１）の出力回路はＳ１の二つの端子に接続されていて、コモン端子にそのどちらかの信号がＳ１の選択によって現れる。
ステレオ再生回路（１）のＬ−ｃｈ出力回路と位相反転回路（２）の出力回路はＳ２の二つの端子に接続されていて、コモン端子にそのどちらかの信号がＳ２の選択によって現れる。
また、Ｓ１とＳ２は連動で動作する。
Ｓ１のコモン端子はＲ−ｃｈヘッドホンに、Ｓ２のコモン端子はＬ−ｃｈヘッドホンにそれぞれ接続されていて、Ｓ１及びＳ２が切り替えられるとヘッドホンに加わる信号の位相が反転される。
【産業上の利用可能性】
【００１５】現在、ヘッドホンが用いられるステレオ機器はオーディオ産業の主役である。本考案はこの様な機器に必要な機能であり、ヘッドホンが使用される機器に無くてはならないものになるだろう。
【符号の説明】１はステレオ再生回路
２は位相反転回路（１）
３はスイッチＳ１
４はステレオ再生機
５は位相反転回路（２）
６はスイッチＳ２
７はＲ−ｃｈヘッドホン
８はＬ−ｃｈヘッドホン
【図１】
2020096332.tif 000003
(57)【要約】      （修正有）【課題】良好な音質の再現性を持つスピーカーシステムを提供する。【解決手段】ムービングフリー、スピーカーシステムＢにおいて、前方開放型エンクロージャー（筺体）Ｈの前面部分に、平面バッフル型のスピーカーＣを、張力の強い支持用部材Ｄで数箇所から、吊り下げることで支持する。スピーカーシステムでは、スピーカー後方音波を、後面音用共鳴器Ｆに取り込み、本来発生する後方音波を減少させ、共鳴器の振動を、平面バッフルの振動に変換する事で、音波を増幅する。【選択図】図１
2020096333.tif 000002
【特許請求の範囲】
【請求項１】
エンクロージャー筺体）の、前後、左右、上下方向  の中、，一方向、又は、二方向の開放型  スピーカーエンクロージャー（筺体）図Ｈに、平面バッフル型  図Ｃ，その他、箱型筺体スピーカー、あるいは、筒型筺体スピーカーを、張力の強い素材  図Ｄの、ワイヤー、等の材質のもので、一か所又は複数箇所から、吊り下げる（方向は、筺体取り付け状態による）、または、支持する．下方（筺体取り付け状態による）には、一か所又は，複数箇所、位置決めの為、又は、吊り下げるため支持する方式。
平面バッフル型の平面の意味には、それの、強度向上のために、少し曲面を、持つ事も含む。
【請求項２】
平面バッフル型  図Ｃ，に対し共鳴器、図Ｆの、取り付け、図Ｉは、共鳴器、図Ｆの、共鳴音の、こもり音、その他、の音質改善のため装備。
【請求項３】
エンクロージャー（筺体）において、テープ状のゴム等で図Ｃと図Ｈの部品をつなぐ事により、平面バッフルの可動性を確保して、バッフル板の、箱型筺体スピーカーの様な固定による振動の抑制を避ける。
【発明の詳細な説明】
【技術分野】
【０００１】スピーカーシステム。
【背景技術】
【０００２】平面バッフル型スピーカーシステム図  Ａ。
【先行技術文献】
平面バッフル型は、，スピーカーシステムの原始的形態のため、技術文献の有無は、不明。
【特許文献】
【０００３】平面バッフル型は、，スピーカーシステムの原始的形態のため、特許文献の有無は、不明。
【特許文献１】
【０００４】
【非特許文献１】
【発明の概要】
【０００５】平面バッフル型スピーカーシステムの実用化。
【発明が解決しようとする課題】
【０００６】平面バッフル型スピーカーシステムの音波の、効率的活用。【０００７】スピーカーエンクロージャー（筺体）と、平面バッフル型スピーカーと、共鳴器、の組み合わせ。
【発明の効果】
【０００８】ムービング  フリーシステムは、現在主流のシステム、バスレフ方式にも劣らない良好な音質の再現性を持つ。
ムービング  フリーシステムの、主要素の平面バッフルスピーカーは、前面バッフルからの音が主で、その音の指向性から騒音対策の効果が大きい。
（エンクロージャー自体は、あまり振動しない。）
【図面の簡単な説明】
【０００９】
【図１】平面バッフルスピーカー図Ａと、ムービング  フリーエンクロージャー（筺体）図Ｂと、後方音波の共鳴器、図Ｆ，スピーカー前方音波の共鳴器、図Ｅ。
【発明を実施するための形態】
【００１０】前方開放型エンクロージャー（筺体）図Ｂに、共鳴器付き平面バッフル型スピーカーを、適切な位置に、吊り下げた形。
【実施例】
【００１１】自作のムービング  フリーシステム。
スピーカー口径２０センチメートル、共鳴器、図  Ｆの容量約２０リットル、エンクロージャー（筺体）図Ｂ、Ｗ＝５０、Ｈ＝８０、Ｄ＝４０センチメートル、の構成で発生低音域は、４０ヘルツ程度まで確認、高音域は、マルチスピーカーで対応。
【産業上の利用可能性】
【００１２】ムービング  フリーの  防音効果、軽量、本格的な音質を実現する特徴から天井、側壁への取付が可能、よって販路が見込める。
【符号の説明】
【００１２】図面１の  Ａ、平面バッフル型スピーカーシステム
図面１の  Ｂ、ムービング  フリー、スピーカーシステム
図面１の  Ｃ、平面バッフル部分
図面１の  Ｄ、スピーカーの吊下げ、または、支持用部材
図面１の  Ｅ、スピーカーオ音の前面音用共鳴器
図面１の  Ｆ、スピーカーオ音の後面音用共鳴器
図面１の  Ｇ、エンクロージャーと、平面バッフル部分との、隙間
図面１の  Ｈ、エンクロージャー（筺体）
図面１の  Ｉ、後面音用共鳴器の音質調整用装備
【図１】
2020096333.tif 000003